(57)【要約】【課題】特定エリヤ内に存在する人等が所有する発信器の数を自動的に把握することができる発信器数測定システム及び発信器数測定装置の提供。【解決手段】所定の周波数の信号を発信する複数の発信器、例えば広場６等の特定エリヤに存在する人７が所持する携帯電話８と、これらの携帯電話８からの信号を受信する指向性を有するアンテナ１を備えた発信器数測定装置とを有し、例えばアンテナ１を携帯電話８の位置に比べて高所に設定することにより、複数の携帯電話８のそれぞれと、アンテナ１との間隔を所定距離に保ち、発信器数測定装置は、複数の携帯電話８のそれぞれから受信した信号の電界強度を測定する電界強度測定部３と、測定した電界強度から携帯電話８の数を算出する演算部４とを有する。【選択図】図１
2005117075.tif 000002
【特許請求の範囲】
【請求項１】
所定の周波数の信号を発信する複数の発信器と、
これらの発信器からの信号を受信するアンテナを備えた発信器数測定装置とを有し、
上記複数の発信器のそれぞれと、上記発信器数測定装置の上記アンテナとの間隔を所定距離に保ち、
上記発信器数測定装置は、上記複数の発信器のそれぞれから受信した信号の電界強度を測定し、測定した電界強度から上記発信器の数を算出することを特徴とする発信器数測定システム。
【請求項２】
上記請求項１記載の発明において、
上記アンテナを、上記発信器の位置よりも高所に設置したことを特徴とする発信器数測定システム。
【請求項３】
所定の周波数の信号を所定時間内にそれぞれ１度発信する発信器と、
これらの発信器からの信号を受信するアンテナを備えた発信器数測定装置とを有し、
この発信器数測定装置は、上記所定時間内に上記複数の発信器のそれぞれから受信した信号の数を測定し、測定した信号の数から上記発信器の数を求めることを特徴とする発信器数測定システム。
【請求項４】
上記請求項１〜３のいずれかに記載の発明において、
上記発信器が携帯電話であることを特徴とする発信器数測定システム及び発信器数測定装置。
【請求項５】
上記請求項１〜４のいずれかに記載の発信器数測定システムに備えられる発信器数測定装置。
【請求項６】
上記請求項５記載の発明において、
上記アンテナは、指向性を有する複数のアンテナから成ることを特徴とする発信器数測定装置。
【請求項７】
上記請求項５記載の発明において、
上記アンテナは、指向性を有するアンテナであって、向きを変えるように作動可能なものから成ることを特徴とする発信器数測定装置。
【発明の詳細な説明】
【技術分野】
【０００１】
本発明は、広場や道路上、あるいは広い公共施設などの特定エリヤに存在する多数の人の所有する発信器の数を測定する発信器数測定システム及び発信器数測定装置に関する。
【背景技術】
【０００２】
一般に電波を反射する物体の位置と方向を調べる場合には、レーダーが活用されている。しかし、このようなレーダーでは、電波に反射しない例えば人体を検出することはできない。
【０００３】
従来例えば、雪中に埋もれている雪山遭難者の探索に際し、遭難者が所持する一定周波数の電波信号を発生する発振器を内蔵したトランシーバーからの電波信号の電界強度を方向特定用アンテナで測定し、測定された電界強度に基づいて遭難者の位置を特定する装置が提案されている（例えば、特許文献１参照）。
【特許文献１】特開平８−８６８４９号公報
【発明の開示】
【発明が解決しようとする課題】
【０００４】
上述した従来技術では、遭難者の探索には有効であると考えられるものの、例えば広場に集まる群集の数とか、道路上を歩く多くの人々の数とか、あるいは競技場などの広い公共施設内に存在する人の数などを把握することはできない。昨今、上述のような広場や道路上、あるいは広い公共施設内などに存在する多くの人の数を、自動的に把握したいという強い要望がある。したがって、このような要望に応える技術の開発が期待されていた。
【０００５】
本発明は、広場等の特定エリヤに集まる人等の多くのものが携帯電話等の発振器を所有することが多くなった現状に着目してなされたもので、その目的は、特定エリヤ内に存在する人等が所有する発信器の数を自動的に把握することができる発信器数測定システム及び発信器数測定装置を提供することにある。
【課題を解決するための手段】
【０００６】
上記目的を達成するために、本発明は、所定の周波数の信号を発信する複数の発信器と、これらの発信器からの信号を受信するアンテナを備えた発信器数測定装置とを有し、上記複数の発信器のそれぞれと、上記発信器数測定装置の上記アンテナとの間隔を所定距離に保ち、上記発信器数測定装置は、上記複数の発信器のそれぞれから受信した信号の電界強度を測定し、測定した電界強度から上記発信器の数を算出することを特徴としている。
【０００７】
このように構成した本発明は、例えば多数の人々が存在する、あるいは存在する可能性がある特定エリヤにおいて、多数の人々が所有する携帯電話等の複数の発信器のそれぞれと、発信器数測定装置のアンテナとの間隔を、複数の発信器からの信号を受信可能となる所定距離離れた位置に設定しておく。すなわち複数の発信器から所定距離、離れた位置に発信器測定装置のアンテナを設置しておく。
【０００８】
このようにアンテナを設置してある状態で、特定エリヤに存在する多数の人々が発信器を作動させると、それらの発信器からの信号をアンテナを介して受信した発信器数測定装置は、受信した信号の電界強度を測定する。この電界強度は、発信器の数に相応する電界強度である。発信器測定装置は、測定した電界強度を、上述の発信器１台から出力される信号の電界強度で除算する演算を行なう。これによって、特定エリヤ内に存在する人々の所持する発信器の数が算出される。
【０００９】
そして例えば特定エリヤ内に存在する人々が発信器を所持する割合を考慮して特定エリヤ内に存在する人数を求める演算を行なうことにより、特定エリヤ内に存在する人々の概数を把握することができる。上述した各演算は、発信器数測定装置で自動的に実施される。これにより、特定エリヤ内に存在する人が所持する携帯電話等の発信器の数を自動的に把握することができる。
【００１０】
また本発明は、上記発明において、上記アンテナを、上記発信器の位置よりも高所に設置したことを特徴としている。
【００１１】
このように構成した本発明は、アンテナを高所に配置したことから、特定エリヤ内に存在する例えば人々が所持する発信器からの信号を漏れなく受信させるようにすることができる。
【００１２】
また本発明は、所定の周波数の信号を所定時間内にそれぞれ１度発信する発信器と、これらの発信器からの信号を受信するアンテナを備えた発信器数測定装置とを有し、この発信器数測定装置は、上記所定時間内に上記複数の発信器のそれぞれから受信した信号の数を測定し、測定した信号の数から上記発信器の数を求めることを特徴としている。
【００１３】
このように構成した本発明は、アンテナを特定エリヤに向けて設置してある状態で、特定エリヤ内に存在する、例えば多数の人々が所持する携帯電話等の所定時間内に１度の所定の周波数の信号を発信する発信器を作動させると、これらの発信器から所定時間内にそれぞれ１度だけ所定の周波数の信号が出力され、これらの信号をアンテナが受信する。発信器数測定装置は、所定時間内に測定した信号の数を、所定時間で除算する演算を行なう。すなわち、所定時間内に発信器から発信された信号の数が、発信器の数として求められる。
【００１４】
そして例えば、特定エリヤ内に存在する人々が発信器を所持する割合を考慮して特定エリヤ内に存在する人数を求める演算を行なうことにより、特定エリヤ内に存在する人数の概数を把握することができる。上述した各演算は、発信器数測定装置で自動的に実施される。これにより、特定エリヤ内に存在する人々が所持する携帯電話等の発信器の数を自動的に把握することができる。
【００１５】
また本発明は、上記発明において、上記発信器が携帯電話であることを特徴としている。
【００１６】
このように構成した本発明は、例えば特定エリヤ内に存在する人が所有する携帯電話の作動に伴って発せられる信号の電界強度に基づいて、あるいは所定時間内に１度発信される所定の周波数に基づいて、発信器数測定装置は特定エリヤ内に存在する携帯電話の数を自動的に把握することができる。
【００１７】
また本発明は、上記発明に係る発信器数測定システムに備えられる発信器数測定装置から成る。
【００１８】
また本発明は、上記発明において、上記アンテナは、指向性を有する複数のアンテナから成ることを特徴としている。
【００１９】
このように構成した本発明は、複数のアンテナのそれぞれを特定エリヤの所定場所に向けて配置することにより、例えば特定エリヤに存在する人々の所持する発信器からの信号を漏れなくアンテナに受信させることができる。
【００２０】
また本発明は、上記発明において、上記アンテナは、指向性を有するアンテナであって、向きを変えるように作動可能なものから成ることを特徴としている。
【００２１】
このように構成した本発明は、アンテナを特定エリヤに向けて配置した状態で、特定エリヤの全域をカバーするように、このアンテナを作動させることにより、例えば特定エリヤに存在する人々の所持する発信器からの信号を漏れなくアンテナに受信させることができる。
【発明の効果】
【００２２】
本発明は、特定エリヤ内に存在する人等の所有する発信器の数を自動的に把握することができ、この発信器の数に基づいて特定エリヤ内に存在する人等の数を把握することができる。これにより、従来から要望されていた特定エリヤ内の人等の数の把握を実現させることができ、人等の数を確認するための精度の高い情報を得ることができる。
【発明を実施するための最良の形態】
【００２３】
以下，本発明に係る発信器数測定システム及び発信器数測定装置を実施するための最良の形態を図に基づいて説明する。
【００２４】
［第１実施形態］
図１〜４は本発明の発信器数測定システムの第１実施形態を示す説明図で、図１は、この第１実施形態に備えられる発信器数測定装置を示すブロック図、図２は第１実施形態の動作を説明する図である。図３は第１実施形態の発信器数測定装置に備えられる電界強度測定部で得られる測定結果の一例を示す図、図４は第１実施形態の発信器数測定装置に備えられる表示装置を示す図である。
【００２５】
この第１実施形態は図２に示すように、特定エリヤを形成する例えば広場６に存在する人７のそれぞれが所持する複数の発信器、例えば携帯電話８と、これらの携帯電話８のそれぞれからの信号を受信するアンテナ１を備えた発信器数測定装置とから構成されている。発信器数測定装置は、例えば複数の携帯電話８のそれぞれから受信した信号の電界強度を測定し、測定した電界強度から携帯電話８の数を算出するものである。
【００２６】
すなわち、この第１実施形態の発信器数測定装置は図１に示すように、指向性を有し、例えば向きを変えるように作動可能なアンテナ１と、このアンテナ１で受信した信号のノイズを除去する帯域通過フィルタ２と、この帯域通過フィルタ２を経た信号の電界強度を測定する電界強度測定部３と、この電界強度測定部３で測定された電界強度に基づいて、携帯電話８の数を求める演算を行なうと共に、広場６内に存在する人７が携帯電話８を所持する割合を考慮して後述するように広場６に存在する人７の概数を算出する演算部４と、この演算部４で算出された広場６に存在する人数を表示する表示装置５とを備えている。
【００２７】
上述した携帯電話８のそれぞれは、作動中に出力される信号の電界強度がそれぞれ一定であること、また、所定の周波数の信号を所定時間内、たとえば１０秒前後内にそれぞれ１度発信するものであることが知られている。また、２００２年における我が国の携帯電話８の普及率、すなわち人々の所持する割合は、６２．０％であることも知られている。
【００２８】
上述した複数の携帯電話８とアンテナ１との間隔を所定距離に設定してある。すなわち、広場６に存在する人７の所持する携帯電話８から発せられる信号のほとんど全てを受信可能にように、アンテン１を携帯電話８の位置よりも高所の所定位置に設置してある。
【００２９】
また、上述した表示装置５は、表示指令信号を出力させる操作部５ａと、画面５ｂとを含んでおり、操作部５ａの操作に伴って出力される表示指令信号に応じて、演算部４で演算された人数が画面５ｂに表示されるようになっている。
【００３０】
このように構成した第１実施形態は、図２に示すように、携帯電話８を所持する多くの人７が存在する広場６に向けて、アンテナ１を矢印９に示すように適宜作動させると、このアンテナ１で受信された信号が図１に示す帯域通過フィルタ２を経て電界強度測定部３に送られる。この電界強度測定部３で、図３に示す測定結果のように、受信した信号の電界強度の総和が測定され、その電界強度の総和が演算部４に送られる。この演算部４で携帯電話８の数と、人７の概数とが求められる。すなわち、電界強度測定部３で測定された電界強度の総和をＴ、携帯電話８の１台が出力する信号の電界強度をｔとすると、携帯電話８の数ｎは、
ｎ＝Ｔ／ｔ
で求められる。また、携帯電話８の所持する人７の現在の割合は、上述したように６２．０％であることから、広場６に存在する人７の数をＳとすると、例えば、
Ｓ＝ｎ／０．６２＝１．６ｎ
で求められる。
【００３１】
このような演算が実施された後、図１に示す表示装置５の操作部５ａを操作すると、表示装置５の画面５ｂに図４に示すように、広場６に存在する人７の概数が例えば文字表示される。
【００３２】
このように第１実施形態によれば、特定エリヤ例えば広場６内に存在する人７が所持する発信器、すなわち携帯電話８の数を自動的に把握でき、この携帯電話８の数に基づいて広場６に存在する人の概数を自動的に把握することができる。把握した人７の概数に基づいて、たとえば業務上のより良好な群衆管理とか、広場６における環境設備の問題点とか、広場６に存在する人７の安全保護の確立とかを検討することができる。すなわち、広場６に存在する人７の数を確認するための精度の高い情報を得ることができる。
【００３３】
また、アンテナ１を携帯電話８の位置よりも高所に設置したことから、広場６内に存在する人７が所持する携帯電話８からの信号を漏れなく受信させるようにすることができ、測定精度を高めることができる。
【００３４】
また、発信器が携帯電話８から成る構成にしてあるが、昨今は出歩く人の多くが携帯電話８を所持することが普通になってきていることから、実用性に富む。
【００３５】
また、アンテナ１は、指向性を有するものであって、しかも向きを変えるように作動可能であるので、アンテナ１を作動させて向きを変え、広場６の全域をカバーさせるようにすることにより、広場６に存在する人７の所持する携帯電話８からの信号を漏れなくアンテナ１に受信させることができ、これによっても測定精度を高めることができる。
【００３６】
［第２実施形態］
図５〜９は、本発明の発信器数測定システムの第２実施形態を示す説明図で、図５は第２実施形態に備えられる発信器数測定装置を示すブロック図、図６は第２実施形態の動作を説明する図である。図７は第２実施形態の発信器数測定装置に備えられる第１電界強度測定部で得られる測定結果の一例を示す図、図８は第２実施形態の発信器数測定装置に備えられる第２電界強度測定部で得られる測定結果の一例を示す図である。図９は第２実施形態の発信器数測定装置に備えられる表示装置を示す図である。
【００３７】
この第２実施形態は、アンテナが指向性を有する複数、たとえば第１アンテナ１０、第２アンテナ１１から成っている。これらのアンテナ１０，１１はそれぞれ図６に示すように、特定エリヤを形成する広場６の所定場所Ａ１，Ａ２に向けて例えば移動不能に設置してある。また、前述した第１実施形態におけるのと同様に、人７の所持する発信器、例えば携帯電話８とアンテナ１０，１１との間隔を所定距離に設定してある。すなわち、広場６に存在する人７の所持する携帯電話８から発せられる信号のほとんど全てを受信可能なように、アンテナ１０，１１を携帯電話８の位置よりも高所の所定位置に設置してある。
【００３８】
この第２実施形態は、発信器数測定装置が、図５に示すように、第１アンテナ１０で受信した信号のノイズを除去する第１帯域通過フィルタ１２と、この第１帯域通過フィルタ１２を経た信号の電界強度を測定する第１電界強度測定部１３とを備えている。また、この第１電界強度測定部１３で測定された電界強度に基づいて、携帯電話８の数を求める演算を行なうと共に、広場６の所定場所Ａ１内に存在する人７が携帯電話８を所持する割合を考慮して、所定場所Ａ１内に存在する人７の概数を算出する第１演算部１４を備えている。また、第２アンテナ１１で受信した信号のノイズを除去する第２帯域通過フィルタ１５と、この第２帯域通過フィルタ１５を経た信号の電界強度を測定する第２電界強度測定部１６とを備えている。また、この第２電界強度測定部１６で測定された電界強度に基づいて、携帯電話８の数を求める演算を行なうと共に、広場６の所定場所Ａ２内に存在する人７が携帯電話８を所持する割合を考慮して、所定場所Ａ２内に存在する人７の概数を算出する第２演算部１７を備えている。
【００３９】
さらに、第１演算部１４で算出された人数と、第２演算部１７で算出された人数との和を求める第３演算部１８と、第１演算部１４、第２演算部１７、及び第３演算部１８に接続される表示装置１９とを備えている。この表示装置１９は、第３演算部１８で求められた広場６に存在する人７の総数を表示する表示指令信号を出力させる第１操作部１９ａと、第１，第２演算部１４，１７で求められた所定場所Ａ１，Ａ２にそれぞれ存在する人７の数を表示する表示指令信号を出力させる第２操作部１９ｂと、広場６における人７の密度を表示する表示指令信号を出力させる第３操作部１９ｃとを備えている。また、これらの操作部１９ａ〜１９ｃから出力される表示指令信号に応じた表示を行なう画面１９ｄを備えている。
【００４０】
このように構成した第２実施形態は、図６に示すように、第１アンテナ１０で受信された所定場所Ａ１に存在する人７の携帯電話８からの信号が図５に示す第１帯域通過フィルタ１２を経て第１電界強度測定部１３に送られる。同様に、第２アンテナ１１で受信された所定場所Ａ２に存在する人７の携帯電話８からの信号が図５に示す第２帯域通過フィルタ１５を経て第２電界強度測定部１６に送られる。
【００４１】
第１電界強度測定部１３では、図７に示す測定結果のように、また、第２電界強度測定部１６では図８に示す測定結果のように、受信した信号の電界強度の和がそれぞれ測定される。これらの電界強度の和の該当するものが、第１演算部１４、第２演算部１７のそれぞれに送られる。
【００４２】
これらの演算部１４，１７で所定場所Ａ１，Ａ２内の携帯電話８の数と、人７の概数とが求められる。すなわち、第１電界強度測定部１３で測定された電界強度の和をＴ１、携帯電話８の１台が出力する信号の電界強度をｔ、第２電界強度測定部１６で測定された電界強度の和をＴ２とすると、所定場所Ａ１における携帯電話８の数ｎ１は、
ｎ１＝Ｔ１／ｔ
と第１演算部１４で求められる。また、所定場所Ａ２における携帯電話８の数ｎ２は、
ｎ２＝Ｔ２／ｔ
と第２演算部１７で求められる。
【００４３】
また、携帯電話８を所持する人７の現在の割合は上述したように、６２．０％であることから、所定場所Ａ１に存在する人７の数をＳ１とすると、例えば、
Ｓ１＝ｎ１／０．６２＝１．６ｎ１
と第１演算部１４で求められる。また、所定場所Ａ２における人７の数をＳ２とすると、例えば
Ｓ２＝ｎ２／０．６２＝１．６ｎ２
と第２演算部１７で求められる。
【００４４】
第１演算部１４から出力される人７の数Ｓ１と、第２演算部１７から出力される人７の数Ｓ２とから、広場６に存在する人７の総数をＳ３とすると、
Ｓ３＝Ｓ１＋Ｓ２
と第３演算部１８で求められる。
【００４５】
これらの演算が実施された後、図９に示す表示装置１９の操作部１９ａが操作されると、同図９の（ａ）図に示すように、第３演算部１８から出力される信号に基づいて表示装置１９の画面１９ｄに、広場６に存在する人７の概数が例えば文字表示される。また、図９に示す表示装置１９の操作部１９ｂが操作されると、同図９の（ｂ）図に示すように、第１，第２演算部１４，１７から出力される信号に基づいて表示装置１９の画面１９ｄに、広場６のうちの所定場所Ａ１，Ａ２のそれぞれに存在する人７の概数が例えば文字表示される。また、図９に示す表示装置１９の操作部１９ｃが操作されると、同図９の（ｃ）図に示すように、第１，第２演算部１４，１７から出力される信号に応じて広場６における人７の密度を求める図示しない処理手段からの信号に基づいて、広場６の人々の該当する密度が表示されるようになっている。
【００４６】
このように構成した第２実施形態にあっても、前述した第１実施形態におけるのと同様に、広場６の所定場所Ａ１，Ａ２のそれぞれに存在する人７が所持する携帯電話８の数を自動的に把握でき、前述した第１実施形態におけるのと同様の効果が得られる。
【００４７】
また特に、指向性を有する第１アンテナ１０、第２アンテナ１１、すなわち複数のアンテナを備えたことから、広場６の所定場所Ａ１，Ａ２のそれぞれに存在する人７の所持する携帯電話８からの信号を、漏れなくアンテナ１０，１１に受信させることができ、より測定精度を高めることができる。
【００４８】
［第３実施形態］
図１０〜１２は本発明の発信器数測定システムの第３実施形態を説明する図で、図１０は第３実施形態に備えられる発信器数測定装置を示す図、図１１は第３実施形態の発信器数測定装置に備えられる第１パルス検出部で得られる測定結果を示す図、図１２は第３実施形態の発信器数測定装置に備えられる第２パルス検出部で得られる測定結果を示す図である。
【００４９】
この第３実施形態も図１０に示すように、例えば前述した第２実施形態におけるのと同等の第１アンテナ１０、第２アンテナ１１、第１帯域通過フィルタ１２、第２帯域通過フィルタ１５、及び表示装置１９を備えている。また、前述した図６に示すように、特定エリヤを形成する広場６に存在する人７は、発信器として例えば、前述したように所定時間内に１度所定の周波数の信号を発信する携帯電話８を所持している。
【００５０】
この第３実施形態は特に、図１０に示すように、第１帯域通過フィルタ１２を経た信号に基づいて所定時間内に１度、所定場所Ａ１に関連して出力される所定の周波数パルスを検出し、そのパルス数の合計を計数する第１パルス検出部２０と、この第１パルス検出部２０で計数されたパルス数を所定時間で除算した数を求める第１演算部２１とを備えている。また、第２帯域通過フィルタ１５を経た信号に基づいて所定時間内に１度、所定場所Ａ２に関連して出力される所定の周波数パルスを検出し、そのパルス数の合計を計数する第２パルス検出部２２と、この第２パルス検出部２２で計数されたパルス数を所定時間で除算した数を求める第２演算部２１とを備えている。
【００５１】
第１演算部２１、第２演算部２３では、求められたパルス数から所定場所Ａ１，Ａ２に存在する人７の概数を算出する演算も行なわれる。ここで、第１演算部２１で求められたパルス数をＰ１、第２演算部２３で求められたパルス数をＰ２、所定値場所Ａ１に存在する人７の数をＳ１、所定場所Ａ２に存在する人７の数をＳ２とすると、
Ｓ１＝Ｐ１／０．６２＝１．６Ｐ１
Ｓ２＝Ｐ２／０．６２＝１．６Ｐ２
として求められる。
【００５２】
さらに、この第３実施形態も、第１演算部２１から出力される人７の数Ｓ１、第２演算部２３から出力される人７の数Ｓ２とから、広場６に存在する人７の総数をＳ３とすると、
Ｓ３＝Ｓ２＋Ｓ２
と第３演算部２４で求められる。
【００５３】
なお、第１演算部２１、第２演算部２３、第３演算部２４のそれぞれは、上述の表示装置１９に接続されている。
【００５４】
このように構成した第３実施形態も、前述した第２実施形態におけるのと同様に、広場６の所定場所Ａ１，Ａ２のそれぞれに存在する人７が所持する携帯電話８の数を自動的に把握でき、前述した第２実施形態におけるのと同様の効果が得られる。
【００５５】
上記各実施形態では、発信器として人７が保持する携帯電話８を挙げたが、例えば自動車等に備えられる発信器であってもよい。このような場合には、交通が渋滞する場所等における自動車等の概数を自動的に精度良く把握することが可能となる。
【図面の簡単な説明】
【００５６】
【図１】本発明の発信器数測定システムの第１実施形態に備えられる発信器数測定装置を示すブロック図である。
【図２】第１実施形態の動作を説明する図である。
【図３】第１実施形態の発信器数測定装置に備えられる電界強度測定部で得られる測定結果の一例を示す図である。
【図４】第１実施形態の発信器数測定装置に備えられる表示装置を示す図である。
【図５】本発明の発信器数測定システムの第２実施形態に備えられる発信器数測定装置を示すブロック図である。
【図６】第２実施形態の動作を説明する図である。
【図７】第２実施形態の発信器数測定装置に備えられる第１電界強度測定部で得られる測定結果の一例を示す図である。
【図８】第２実施形態の発信器数測定装置に備えられる第２電界強度測定部で得られる測定結果の一例を示す図である。
【図９】第２実施形態の発信器数測定装置に備えられる表示装置を示す図である。
【図１０】本発明の発信器数測定システムの第３実施形態に備えられる発信器数測定装置を示す図である。
【図１１】第３実施形態の発信器数測定装置に備えられる第１パルス検出部で得られる測定結果を示す図である。
【図１２】第３実施形態の発信器数測定装置に備えられる第２パルス検出部で得られる測定結果を示す図である。
【符号の説明】
【００５７】
１    アンテナ
２    帯域通過フィルタ
３    電界強度測定部
４    演算部
５    表示装置
５ａ  操作部
５ｂ  画面
６    広場（特定エリヤ）
７    人
８    携帯電話（発信器）
９    矢印
１０  第１アンテナ
１１  第２アンテナ
１２  第１帯域通過フィルタ
１３  第１電界強度測定部
１４  第１演算部
１５  第２帯域通過フィルタ
１６  第２電界強度測定部
１７  第２演算部
１８  第３演算部
１９    表示装置
１９ａ  第１操作部
１９ｂ  第２操作部
１９ｃ  第３操作部
２０    第１パルス検出部
２１    第１演算部
２２    第２パルス検出部
２３    第２演算部
２４    第３演算部
【図１】
2005117075.tif 000003
【図２】
2005117075.tif 000004
【図３】
2005117075.tif 000005
【図４】
2005117075.tif 000006
【図５】
2005117075.tif 000007
【図６】
2005117075.tif 000008
【図７】
2005117075.tif 000009
【図８】
2005117075.tif 000010
【図９】
2005117075.tif 000011
【図１０】
2005117075.tif 000012
【図１１】
2005117075.tif 000013
【図１２】
2005117075.tif 000014